(57)【特許請求の範囲】
【請求項１】
天板と、この天板を支持する左右一対の脚体と、この両脚体を互いに連結するステー部材とから成る机において、
前記両脚体の上端に、上面に前記天板を載置するようにした連結体をそれぞれ配設し、この連結体に、前記脚体の上端にその内部に嵌るようにして取付けられる脚取付け部と、前記ステー部材に対する取付け部とを設け、
前記脚取付け部は、前記連結体における各側面のうち一つの角部を挟んで直角をなす二つの側面に一体的に設けられ、
前記ステー部材に対する取付け部は、前記一つの角部と対角の他の角部を挟んで直角をなす二つの側面に一体的に設けられていることを特徴とする机の構造。
【請求項２】
前記連結体における二つの脚取付け部のうち一方の脚取付け部を脚体の上端に取付けた状態で、他方の脚取付け部には、前記天板の後面に沿って延びる配線受け樋を取付けたことを特徴とする請求項１に記載の机の構造。
【請求項３】
前記両連結体の上面に、天板の下面に沿って前側に延びる天板支持板を取付けたことを特徴とする請求項１又は２に記載の机の構造。
【発明の詳細な説明】
【０００１】
【発明の属する技術分野】
本発明は、筆記又はコンピュータ操作等のような各種のデスクワークを行う事務等に使用される机のうち、天板と、この天板を支持する左右一対の脚体とから成る机の構造に関するものである。
【０００２】
【従来の技術と発明が解決しようとする課題】
一般に、この種の机は、基本的にいって、前記左右の脚体の相互間を、横方向に延びるステー部材にて連結するか、このステー部材を介して連結することに加えて、天板の後面にこれに沿って延びるように配設した配線受け樋を介して連結し、この両脚体の上面に前記天板を載置するという構成にしている。
【０００３】
この場合、従来の机においては、前記両脚体と、この両脚体間を連結するステー部材及び配線受け樋との連結を、金属板にて中空状に形成した脚体の側面板に対してボルトにてステー部材を締結するという構成にしているから、この連結部分における剛性を向上するには、中空の脚体を形成する金属板の板厚、咳ステー部材及び配線受け樋を形成する金属板の板厚を相当に厚くしなければならないか、或いは、この脚体とステー部材及び配線受け樋との間に補強部材を設けるようにしなければならないという問題があった。
【０００４】
本発明は、この問題を解消することを技術的課題とするものである。
【０００５】
【課題を解決するための手段】
この技術的課題を達成するため、請求項１に記載の発明の机の構造は、天板と、この天板を支持する左右一対の脚体と、この両脚体を互いに連結するステー部材とから成る机において、前記両脚体の上端に、上面に前記天板を載置するようにした連結体をそれぞれ配設し、この連結体に、前記脚体の上端にその内部に嵌るようにして取付けられる脚取付け部と、前記ステー部材に対する取付け部とを設け、前記脚取付け部は、前記連結体における各側面のうち一つの角部を挟んで直角をなす二つの側面に一体的に設けられ、前記ステー部材に対する取付け部は、前記一つの角部と対角の他の角部を挟んで直角をなす二つの側面に一体的に設けられているものである。
【０００６】
また、請求項２に記載の発明は、請求項１に記載の机の構造において、前記連結体における二つの脚取付け部のうち一方の脚取付け部を脚体の上端に取付けた状態で、他方の脚取付け部には、前記天板の後面に沿って延びる配線受け樋を取付けたものである。
【０００７】
請求項３に記載の発明は、請求項１又は２に記載の机の構造において、前記両連結体の上面に、天板の下面に沿って前側に延びる天板支持板を取付けたものである。
【０００８】
【発明の作用・効果】
請求項１に記載の発明によれば、両脚体の上端に使用した連結体は、脚体に対して、これに設けた脚取付け部が脚体の上端内部に嵌まった状態にして強固に取付けられることになるから、この連結体に設けた取付け部にステー部材を取付けることにより、前記ステー部材を、両脚体に対し前記連結体を介して強固に連結することができるから、前記連結部分における剛性を、従来のように、脚体のステー部材の板厚を厚くしたり、或いは、別の補強部材を使用したりすることなく、確実に大幅にアップすることができるのである。
【０００９】
そして、前記脚取付け部は、前記連結体における各側面のうち一つの角部を挟んで直角をなす二つの側面に一体的に設けられ、前記ステー部材に対する取付け部は、前記一つの角部と対角の他の角部を挟んで直角をなす二つの側面に一体的に設けられているものであるから、左右両脚体の各々に対する連結体を、同じ形状の共通部品にすることができる利点を有する。
【００１０】
そして、請求項２の発明によれば、両脚体の上端に使用した連結体は、脚体に対して、これに設けた脚取付け部が脚体の上端内部に嵌まった状態にして強固に取付けられることになるから、前記連結体に設けた別の脚取付け部に配線受け樋を取付けることができる。
【００１１】
また、請求項３に記載したように、前記両連結体の上面に、天板の下面に沿って前側に延びる天板支持板を取付けることにより、天板を、その手前側の部分まで確実に支持することができる利点を有する。
【００１２】
【発明の実施の形態】
以下、本発明の実施の形態を、図１〜図１２の図面について説明する。
【００１３】
この図において、符号１は、天板を、符号２は、前記天板１の左右両端を支持する脚体を、符号４は、前記両脚体２の相互間を互いに連結する横長のステー部材を、符号５は、前記天板の後面に沿って延びるように配設する配線受け樋を各々示す。
【００１４】
前記両脚体２は、床面上を机に対して前後方向に延びる下アーム部材６と、この下アーム部材６の上面から立設する金属板製中空状の脚柱７と、同じく前記下アーム部材６の上面から前記脚柱７の後面に沿って立設する金属板製中空状の補助脚柱８とによって構成されている。
【００１５】
この場合において、前記補助脚柱８の断面形状は、略正方形であるが、前記脚柱７の断面形状は、図４に示すように、その外側面板７ａを机の前後方向に略真っ直ぐな平面に、その内側面板７ｂを後方に向かって湾曲しながら内向きに傾斜した湾曲傾斜面にするというように一つの湾曲辺と二つの直線辺とを有する略三角形に形成されている。また、これら各脚柱７，８は、前記下アーム部材６の上面に対してボルト９，１０の締結にて着脱自在に連結されている。
【００１６】
次に、符号１１は、前記両脚体２の上端の各々配設した連結体を示し、この連結体１１は、平面視において略矩形に形成され、その一つの角部における下面には、前記補助脚柱８の上端内部に嵌まった状態で、補助脚柱８に対してボルト１３の締結にて着脱自在に取付けられる補助脚取付け部１２が一体的に設けられている。
【００１７】
また、前記連結体１１の各側面のうち前記補助脚取付け部１２を有する一つの角部を挟んで互いに直角をなす二つの側面には、前記脚柱７の上端内部に嵌まった状態で、脚柱７に対してボルト１５の締結にて着脱自在に取付けられる脚取付け部１４が一体的に設けられ、この両脚取付け部１４のうち一方の脚取付け部１４を、前記脚柱７の上端内部に嵌めるようにして取付ける一方、他方の脚取付け部１４に、前記配線受け樋５の一端部を、ボルト１５′の締結にて着脱自在に連結する。
【００１８】
更にまた、前記連結体１１の各側面のうち前記補助脚取付け部１２を有する一つの角部と対角をなす他の一つの角部に隣接して互いに直角をなす二つの側面には、前記横長のステー部材４の取付け部であるところの棒片１６を横向きに一体的に突出して、これに前記ステー部材４の一端を被嵌したのちボルト１７を締結することにより、ステー部材４を着脱自在に連結する。
【００１９】
そして、前記両連結体１１の上面には、机の前後方向に延びる天板支持板１８を配設して、この天板支持板１８を、前記連結体１１に着脱自在に取付けて、この両天板支持板１８の上面に、前記天板１を載せるように構成する。
【００２０】
なお、本実施の形態の場合、前記天板支持板１８の取付けは、連結体１１の脚柱７に対する取付け用ボルト１５、及び配線受け樋５の連結体１１に対する取付け用ボルト１５′を利用して行うように構成され、且つ、この天板支持板１８は、前記脚柱７に対しても、ボルト２０の締結にて着脱自在に取付けられている。
【００２１】
前記天板支持板１８に、天板１の下面に沿って前方に延びる上アーム部材１９を固着することにより、この上アーム部材１９によっても天板１を支持するように構成され、更に、前記天板１の下面に、前記ステー部材４の上面のうち複数箇所に設けた各受け片２１を前記天板１の下面に接当することにより、ステー部材４によっても天板１を支持するように構成する。
【００２２】
なお、前記天板１における左右両側のうち前記脚柱７及び補助脚柱８に該当する部分には、これらを露出するようにした切欠部１ａが設けられ、この切欠部１ａには、この切欠部１ａ内のうち前記脚柱７の上端における連結体１１及び天板支持板１８を覆い隠すようにしたキャップ体２２と、前記補助脚柱８の上端における連結体１１を覆い隠すようにしたキャップ体２３とが着脱自在に設けられている。また、前記配線受け樋５には、図９に示すように、これを塞ぐようにした蓋板２４が着脱自在に設けられている。
【００２３】
このように構成することにより、両脚体２の上端に使用した連結体１１は、脚体２における脚柱７に対して、これに設けた脚取付け部１４が脚柱７の上端内部に嵌まった状態にして強固に取付けられることになる。
【００２４】
そして、この連結体１１に対してステー部材４及び配線受け樋５を取付けることで、このステー部材４及び配線受け樋５を、両脚体２に対し前記連結体１１を介して強固に連結することができるから、前記連結部分における剛性を、従来のように、脚柱の板厚さを厚くしたり、或いは、別の補強部材を使用したりすることなく、大幅にアップすることができる。
【００２５】
この場合において、前記連結体１１には、一つの角部を挟んで直角をなす二つの側面の各々に脚取付け部１４が、他の角部を挟んで直角をなす二つの側面に各々にステー部材４の取付け部であるところの棒片１６が設けられていることにより、図示において机の左右に位置する両連結体１１を、左右入れ換えて使用することができるというように、同じ形状の共通部品にすることができる。
【００２６】
また、前記天板１を、前記連結体１１の上面に机の前方向に延びるように取付けた天板支持板１８にて支持したことにより、前記天板１を、その手前側の部分まで確実に支持することができる。
【００２７】
更にまた、前記天板支持板１８を、前記連結体１１と、脚柱７との両方に取付けたことにより、この天板支持板１８の取付け強度、及び連結体１１の脚柱７に対する取付け強度を向上することができる。
【００２８】
これに加えて、前記天板支持板１８に天板１の下面に沿って前方に延びる上アーム部材１９を固着するという構成であることにより、以下に述べるような利点を有する。
【００２９】
すなわち、天板１における奥行き寸法Ｄが大きい場合には、長さの長い上アーム部材１９を使用し、奥行き寸法Ｄが小さい場合には、長さの短い上アーム部材１９を使用するかこの上アーム部材１９を廃止し、或いは、天板１における奥行き寸法が、図２に二点鎖線Ａで示すように、左側の奥行き寸法Ｄから右の奥行き寸法Ｄ′まで狭くなっている場合には、左側では、長さの長い上アーム部材１９を、右側では、長さの短い上アーム部材１９を使用するか、この上アーム部材１９を廃止することにより、常に同じ寸法形状の天板支持板１８を使用することができ、換言すると、前記天板支持板１８を、天板１の奥行き寸法Ｄが代わることに対して共通の部品にすることができる。
【００３０】
また、前記天板１における間口寸法Ｗが大きい場合には、前記ステー部材４における略中央部に、補助部材２５を天板１の下面に沿って前方向に延びるように着脱自在に連結して、この補助部材２５によって、天板１における略中央部分を支持するようにしても良い。
【００３１】
この補助部材２５のステー部材４に対する着脱自在な連結は、図１１及び図１２に示すように構成されている。
【００３２】
すなわち、金属板にて断面上向きコ字状に形成した連結片２６を使用する一方、前記補助部材２５の一端にフランジ板２７を固着して、前記ステー部材４を、その側面に前記補助部材２５におけるフランジ板２７を合わせた状態で、前記連結片２６内に挿入したのち、連結片２６及び前記フランジ板２７を貫通するようにねじ孔２９からねじ込んだボルト２８を、前記ステー部材４に対して押し付けるという構成にされている。
【図面の簡単な説明】
【図１】  本発明の実施の形態による事務用机を示す正面図である。
【図２】  図１の平面図である。
【図３】  図１の左側面図である。
【図４】  図３のIV−IV視拡大断面図である。
【図５】  図１において天板を除いた状態を示す平面図である。
【図６】  図５のVI−VI視拡大断面図である。
【図７】  図６のVII −VII 視断面図である。
【図８】  図７のVIII−VIII視断面図である。
【図９】  図５のIX−IX視拡大断面図である。
【図１０】  要部の分解斜視図である。
【図１１】  ステー部材に対する補助部材の連結部を示す図である。
【図１２】  図１１の分解斜視図である。
【符号の説明】
１              天板
２              脚体
４              横長のステー部材
５              配線受け樋
７              脚柱
８              補助脚柱
１１            連結体
１４            脚取付け部
１６            ステー部材に対する取付け部
１８            天板支持板
【図１】
0003673696.tif 000002
【図２】
0003673696.tif 000003
【図３】
0003673696.tif 000004
【図４】
0003673696.tif 000005
【図５】
0003673696.tif 000006
【図６】
0003673696.tif 000007
【図７】
0003673696.tif 000008
【図８】
0003673696.tif 000009
【図９】
0003673696.tif 000010
【図１０】
0003673696.tif 000011
【図１１】
0003673696.tif 000012
【図１２】
0003673696.tif 000013